(57)【要約】【課題】山留壁の内側に配置された腹起しの横滑りを簡単な構造で防止できる腹起しの二面せん断簡易滑り止め構造を提供する。【解決手段】山留壁1の壁面より腹起し2の上側に突出する反力受け材3と、腹起し2より反力受け材3の側方に立ち上り、反力受け材3を反力受けにして腹起し2の横滑りを防止する複数の滑り止めプレート4から構成する。滑り止めプレート4は、腹起し2の山留壁1側に位置するフランジ2aの山留壁1側とその反対側に二重に配置する。滑り止めプレート４は腹起し２のフランジ2aを挟み込んだ形でフランジ2aに複数の取付けボルト5によって取り付ける。反力受け材3と滑り止めプレート4を溶接によって接合する。【選択図】図１
0003221181.tif 000002
【実用新案登録請求の範囲】
【請求項１】
山留壁の内側に配置された腹起しの横滑りを防止する腹起しの二面せん断簡易滑り止め構造であって、前記山留壁の壁面より前記腹起しの上側または下側に突出する反力受け材と、前記腹起しより前記反力受け材の側方に突出し、前記反力受け材を反力受けにして前記腹起しの横滑りを防止する複数の滑り止めプレートを備え、前記滑り止めプレートは、前記腹起しの山留壁側に位置するフランジの山留壁側とその反対側に二重に配置され、かつ前記フランジに複数の取付けボルトによってボルト締結されていることを特徴とする腹起しの二面せん断簡易滑り止め構造。
【請求項２】
請求項１記載の腹起しの二面せん断簡易滑り止め構造において、前記反力受け材と前記滑り止めプレートとの間に補強プレートが配置されていることを特徴とする腹起しの二面せん断簡易滑り止め構造。
【請求項３】
請求項１または２記載の腹起しの二面せん断簡易滑り止め構造において、前記反力受け材と前記滑り止めプレートは、溶接によって接合されていることを特徴とする腹起しの簡易滑り止め構造。
【請求項４】
請求項１または２記載の腹起しの二面せん断簡易滑り止め構造において、前記反力受け材に前記滑り止めプレートの側部を前記腹起しの軸方向に延び、かつ前記滑り止めプレートと一体をなす座屈拘束部が設けられていることを特徴とする腹起しの二面せん断簡易滑り止め構造。
【考案の詳細な説明】
【技術分野】
【０００１】
本考案は、山留壁の内側に配置された腹起しの横滑りを簡単な構造で防止できるようにした腹起しの二面せん断簡易滑り止め構造に関し、従来の腹起しの滑り止め構造を改良発展させたものである。
【背景技術】
【０００２】
建物の地下室や基礎などの地下部分を構築するために地盤を掘り下げる根切り工事では、例えば、図5(a)に図示するように、建物Ａの平面形状に沿って地盤全体を掘り下げる場合、山留壁20は掘り下げた地盤の全周に仮設される。
【０００３】
また、これに伴い腹起し21も山留壁20の全壁面に段ごとに同じ高さに配置され、各腹起し21の両端部は隣接する腹起し21の端部と突き合わせられる。このため、各壁面に配置された腹起し21が、山土壁20の壁面に沿って腹起し21の軸方向に滑る横滑りの問題は起きない。
【０００４】
しかし、建物Ａの平面形状によっては、例えば、図5(b)に図示するように、一方に山留壁がなく、三方向のみに山留壁20aが仮設される場合があり、このような場合は、対向する山留壁20a,20aの壁面に配置された腹起し21a,21aが、土圧によって山留壁の無い方向に横滑りするおそれがある。
【０００５】
従来、この種の腹起しの横滑りを防止する方法として、例えば、図６に図示するように、山留壁20の壁面より腹起し21の上側に反力受け材22を腹起し21の軸方向に対してほぼ直角に突設し、また、腹起し21の上端部より反力受け材22の側方に滑り止め材23を反力受け材22に対してほぼ直角に立ち上げ、反力受け材22を滑り止め材23の反力受けとして腹起し21の横滑りを防止する方法が知られている。
【０００６】
この場合、反力受け材22は山留壁20を構成する親杭20aに溶接することにより突設されている。また、滑り止め材23は、腹起し21にアングル材等からなる取付けピース24と複数の取付けボルト25および26によって取り付けられている。
【０００７】
そして、腹起し21の横滑り耐力は、取付けボルト25と26の径と本数が同一であることを前提に、反力受け材22の山留壁20への取付け強度と滑り止め材23の腹起し21への取付け強度の小さいほうで決定される。
【先行技術文献】
【特許文献】
【０００８】
【特許文献１】特開2018-48508号公報
【考案の概要】
【考案が解決しようとする課題】
【０００９】
しかし、滑り止め材23は、腹起し21の一側面に単体(一面せん断)で取り付けられているため、滑り止め材23と腹起し21間に作用するせん断力の大きさに比例して取付けボルト25および26の本数と径が増え、また、これに伴い滑り止め材23および取付けピース24のサイズを大きくし、かつ取付けボルト25および26のボルト孔の数を増やす必要があるため、コストが嵩む等の課題があった。また、取付けボルト25および26の本数が増えてボルトの締付け作業が大きな負担になるという課題もあった。
【００１０】
本考案は、以上の課題を解決するためになされたもので、特に取付けボルトの本数をこれまでより半分に減らし、簡単な構造で腹起しの横滑りを防止できるようにした腹起しの二面せん断簡易滑り止め構造を提供することを目的とするものである。
【課題を解決するための手段】
【００１１】
本考案は、山留壁の内側に配置された腹起しの横滑りを防止する腹起しの二面せん断簡易滑り止め構造の考案であり、前記山留壁の壁面より前記腹起しの上側または下側に突出する反力受け材と、前記腹起しより前記反力受け材の側方に突出し、前記反力受け材を反力受けにして前記腹起しの横滑りを防止する複数の滑り止めプレートを備え、前記滑り止めプレートは、前記腹起しの山留壁側に位置するフランジの山留壁側とその反対側に二重に配置され、かつ前記フランジに複数の取付けボルトによってボルト締結されていることを特徴とするものである。
【００１２】
反力受け材は、プレートの他、Ｈ形鋼や溝形鋼、あるいはチャンネル材などの形鋼から形成することができ、また、山留壁の鉛直方向に間隔をおいて複数配置してもよい。
【００１３】
前記滑り止めプレートは、設置場所ごとに製作して別々に取り付けてもよいが、工場などで予め溶接などによって一体的に製作し、専用の冶具として取り付けることにより、現地での腹起しへの取り付けが簡単にでき、また回収して繰り返し使用することができる。
【００１４】
なお、図3(a),(b)に図示するように、反力受け材と前記滑り止めプレートとの間に補強プレートを配置することで、反力受け材と滑り止めプレート間に作用する支圧力に対する滑り止めプレートの剛性を高め、これにより滑り止めプレートの座屈(面外方向への変形)を防止することができる。
【００１５】
また、例えば、図4(a),(b)に図示するように、反力受け材の側部に、滑り止めプレートの側部を腹起しの軸方向に沿って延びる座屈拘束部を形成することによっても、滑り止めプレートの座屈を防止することができる。
【００１６】
この場合、滑り止めプレートと座屈拘束部を完全に固定して拘束することが望ましいが、座屈拘束部を滑り止めプレートの側部に完全に密着させることは施工上困難なため、座屈拘束部の上に座屈拘束プレートを添え付けて溶接し、かつ当該座屈拘束プレートを滑り止めプレートの側部に密着する状態に溶接することで、両者を完全に一体的に固定して拘束することができ、これにより反力受け材および滑り止めプレートの座屈を確実に防止することができ、また、滑り止めプレートから反力受け材に荷重を分散させて確実に伝達させることができる。
【００１７】
また、前記反力受け材と前記滑り止めプレート間を直接溶接によって一体にすることにより、腹起し軸方向の両方向の横滑りを防止することができる。
【００１８】
なお、反力受け材と滑り止めプレートは、腹起しの下側、または腹起しの上側と下側の両側に配置することもできる。
【考案の効果】
【００１９】
本考案は、山留壁の壁面より腹起しの上側または下側に突出する反力受けと、前記腹起しより前記反力受け材の側方に突出し、前記反力受け材を反力受けにして前記腹起しの横滑りを防止する複数の滑り止めプレートを備え、特に前記滑り止めプレートが、前記腹起しの山留壁側に位置するフランジの山留壁側とその反対側に二重に配置され、かつ前記フランジに複数の取付けボルトによってボルト締結されているため、取付けボルトによる二面せん断効果により取付けボルトの本数をこれまでより半分に減らすことができる。またこれに伴い、滑り止めプレートのサイズも小さくすることができて、大幅なコスト削減を図ることができ、また、取付けボルトの締付け作業も大幅に短縮できて作業性も向上する。
【図面の簡単な説明】
【００２０】
【図１】本考案の腹起しの二面せん断簡易滑り止め構造の一実施形態を図示したものであり、図1(a)は反力受け材、滑り止めプレートおよびブラケットの取付け状態を示す横断面図、図1(b)は図1(a)におけるイ−イ線断面図である。
【図２】図1(a)におけるロ−ロ線断面図である。
【図３】図１に図示する腹起しの二面せん断簡易滑り止め構造の変形例であり、図3(a)は反力受け材、滑り止めプレートおよび補強プレートの取付け状態を示す横断面図、図3(b)は図3(a)におけるハ−ハ線断面図である。
【図４】図１に図示する腹起しの二面せん断簡易滑り止め構造の変形例であり、図4(a)は反力受け材と滑り止めプレートの取付け状態を示す横断面図、図4(b)は図4(a)におけるニ−ニ線断面図である。
【図５】山留を図示したものであり、図5(a)は掘り下げた地盤の全周に仮設された山留の平面図、図5(b)は掘り下げた地盤の三方にのみ仮設された山留の平面図である。
【図６】腹起しの滑り止め構造の従来例であり、図6(a)は横断面図、図6(b),(c)は、それぞれ図6(a)におけるホ−ホ線、へ−ヘ線断面図である。
【考案を実施するための形態】
【００２１】
図１〜図４は、本考案の一実施形態を図示したものであり、図において、山留壁１の内側にＨ形鋼からなる腹起し２が山留壁１の壁面に沿って水平に配置されている。
【００２２】
また、腹起し２の上側に、反力受け材３が山留壁１の壁面より腹起し２に対してほぼ直角に突出した状態に配置され、さらに腹起し２の上側に、複数の滑り止めプレート４が腹起し２の上端部より反力受け材３の側方に反力受け材３に対してほぼ直角に、かつ反力受け材３に接した状態に配置されている。
【００２３】
反力受け材３は、山留め壁１の芯材(鋼杭)1aに溶接によって取り付けられている。また、反力受け材３は、プレートまたは溝形鋼やＨ形鋼、チャンネル材などの形鋼より形成され、特にプレートからなる反力受け材３は、強度確保のため、図示するように必要に応じて芯材1aの上下方向に間隔をおいて複数段に取り付けられている。
【００２４】
滑り止めプレート４は、腹起し２の山留壁１側に位置するフランジ2aの山留壁１側とその反対側にフランジ2aを挟み込むように二重に配置され、かつフランジ2aに複数の取付けボルト５によって脱着可能に取り付けられている。また、フランジ2aの上側部分における滑り止めプレート4,4間にスペーサー６が介在されている。
【００２５】
なお、滑り止めプレート4,4とスペーサー６は、設置場所ごとに製作して別々に取り付けてもよいが、工場などで予め溶接などによって一体的に製作し、専用の冶具として取り付けることにより、現地での腹起しへの取り付けが簡単にでき、また回収して繰り返し使用することができる。
【００２６】
なお、符号７は腹起し２を配置するためのブラケット、符号８は山留壁１と腹起し２間の隙間を埋めるモルタルや既製品などからなる裏込め材である。
【００２７】
このような構成において、腹起し２の矢印方向への横滑りに対し、腹起し２の横滑りと共に矢印方向に移動しようとする滑り止めプレート４が、反力受け材３を反力受けとしてその移動が拘束されることにより、腹起し２の矢印方向への横滑りを防止することができる。
【００２８】
また、滑り止めプレート４は、腹起し２のフランジ2aに取付けボルトによって二面せん断接合されているため、これまでの取付けボルトの本数を半分に減らすことができる。
【００２９】
なお、滑り止めプレート４を反力受け材３に溶接して固着することにより、腹起し２の矢印方向と反対方向への横滑りも防止することができる。
【００３０】
図3(a),(b)は、本考案の変形例を図示したものであり、反力受け材３と滑り止めプレート４との間に補強プレート９を介在することにより、反力受け材３と滑り止めプレート４間に作用する支圧力よる滑り止めプレート４の座屈(面外方向への変形)を防止することができる。
【００３１】
図4(a),(b)は、同じく本考案の変形例を図示したものであり、反力受け材３の先端部に、滑り止めプレート４の側部を腹起し２の軸方向に沿って延びる座屈拘束部3aを形成することで、滑り止めプレート４の座屈を防止することができる。
【００３２】
また、座屈拘束部3aの上に座屈拘束プレート10を添え付けて溶接し、かつ当該座屈拘束プレート10を滑り止めプレート４の側部に密着する状態に溶接することで、座屈拘束部3aと滑り止めプレート４を完全に一体的に固定して拘束することができ、これにより反力受け材3および滑り止めプレート４の座屈を確実に防止することができ、また、滑り止めプレート４から反力受け材３に荷重を分散させて確実に伝達させることができる。
【産業上の利用可能性】
【００３３】
本考案は、山留壁の内側に配置された腹起しの横滑りをきわめて簡易な構造により防止することができる。
【符号の説明】
【００３４】
１  山留壁
1a  芯材
２  腹起し
2a  腹起しの山留壁側に位置するフランジ
３  反力受け材
3a  座屈拘束部
４  滑り止めプレート
５  取付けボルト
６  スペーサー
７  ブラケット
８  裏込め材
９  補強プレート
10  座屈拘束プレート
【図１】
0003221181.tif 000003
【図２】
0003221181.tif 000004
【図３】
0003221181.tif 000005
【図４】
0003221181.tif 000006
【図５】
0003221181.tif 000007
【図６】
0003221181.tif 000008